(57)【特許請求の範囲】
【請求項１】
手の甲の部分において前記手の指先方向に照射するように配設された照明手段と、
前記照明手段を手の甲に保持する保持手段とを備え、
前記保持手段は、帯状部材からなり、
前記帯状部材の一部を片方の手の親指に引っ掛けて保持する第１保持部と、
前記帯状部材の一部を前記片方の手の手首に巻き付けて保持する第２保持部とを備えているとともに、
前記第１保持部における前記手の親指の付け根に、人差し指の先で操作可能な操作スイッチを配設して、前記操作スイッチで前記照明手段の発光をオンオフ操作するように構成したことを特徴とする手元照明装置。
【請求項２】
前記操作スイッチは、中央部分が周囲より窪んだ凹部の底に配設されていることを特徴とする請求項１に記載の手元照明装置。
【発明の詳細な説明】
【技術分野】
【０００１】
本発明は、手に持っていなくても手元を照らすことのできる照明装置に関するものである。
【背景技術】
【０００２】
手に持っていなくても手元を照らすことのできる照明装置の従来技術としては、指に光源を配設したものがある。（特許文献１参照。）
この従来技術は、親指と人差し指に光源を装着し、手首に装着した本体のスイッチを操作するように構成されたものである。
【先行技術文献】
【特許文献】
【０００３】
【特許文献１】特開２００８−８４８４４号公報
【発明の概要】
【発明が解決しようとする課題】
【０００４】
前記従来技術では、
親指と人差し指にベルトを巻き付けて光源を装着する手間が必要であるという問題や、指に光源が装着されているので、違和感があり、従来通りの作業がしにくいという問題などがある。
また、光量に関しても、光源をＬＥＤとしても複数の光源を配列しにくいので、十分な光量が得られにくいという問題がある。
また、操作性に関しても、スイッチが手首にあるので、装着した方の手で操作することができないので不便である。
その他、電池の寿命の点からも不十分であり、単に照明だけでは種々の使用状況に鑑みると利便性も不十分である。
本発明はこれらの問題に鑑みてなされたものであって、光源を手の甲に配設し、その照射方向を指先方向に向けたものである。
【課題を解決するための手段】
【０００５】
本発明の請求項１では、
手の甲の部分において前記手の指先方向に照射するように配設された照明手段と、
前記照明手段を手の甲に保持する保持手段とを備え、
前記保持手段は、帯状部材からなり、
前記帯状部材の一部を片方の手の親指に引っ掛けて保持する第１保持部と、
前記帯状部材の一部を前記片方の手の手首に巻き付けて保持する第２保持部とを備えているとともに、
前記第１保持部における前記手の親指の付け根に、人差し指の先で操作可能な操作スイッチを配設して、前記操作スイッチで前記照明手段の発光をオンオフ操作するように構成したことを特徴としている。
請求項２では、
前記操作スイッチは、中央部分が周囲より窪んだ凹部の底に配設されている。
【発明の効果】
【０００６】
本発明によれば、手の甲に照明手段を配設しているので、光源を指に装着する手間が不要であって、違和感なく指が自由に動きやすく、従来通りの作業も容易である。
照明手段を手の甲に配設しているので、複数の光源を配設することも容易であり、十分な光量が得らやすい。
特に、操作スイッチを親指の内側に配設することによって、同じ手の人指し指で操作することができるので、装着した方の片手で操作することができる。
その他、太陽光発電パネルや時計や充電出力部を備えているので、非常時等においても優れた利便性が得られる。
【図面の簡単な説明】
【０００７】
【図１】本発明に係る手元照明装置の要部の斜視図である。
【図２】前記手元照明装置の要部の正面図である。
【図３】前記手元照明装置の全体の斜視図である。
【図４】前記手元照明装置の要部拡大図である。
【図５】前記手元照明装置を右手に装着する場合の説明図である。
【図６】前記手元照明装置の操作方法の説明図である。
【発明を実施するための形態】
【０００８】
以下に、本発明に係る手元照明装置を実施するための形態を、図面を参照して説明する。
前記手元照明装置の要部の斜視図を示した図１と、正面図を示した図２において、
Ａは手元照明装置であり、前記手元照明装置Ａの本体１は、例えば樹脂製で防水構造を備えている。
前記本体１の筐体１０の内部には、
照明制御部２と、
交換用の電池Ｂを収納する電池収納部３と、
前記電池収納部に収納された電池から充電される蓄電池４と、
前記電池および前記蓄電池に接続されて前記照明制御部２によって点灯制御される光源５と、
前記光源５と前記照明制御部２とを接続する光源用配線５１と、
が配設されている。
【０００９】
前記筐体１０の外面には、
表面に配設された太陽光発電パネル６と、
側面に配設され防水構造を備えた電源スイッチ７と、
側面に配設されバックライトを備えた時計部８と、
前方側面に配設され前記光源５を覆う透明カバー部９と、
側面に配設され携帯電話等を接続して充電させることが可能な充電出力部１１と、
後方側面に配設され前記電池収納部３への電池の出し入れを可能にする電池収納口１２と、
前記電池収納口１２に配設された防水構造を備えた収納蓋１３と、
前記照明制御部２と内部で接続されたリード線１４の引出し部１４１と、
裏面に固定されて手の甲に装着するための帯状サポータ１５と、
が配設されている。
【００１０】
前記電池収納口１２の開口部周辺は防水用のパッキン等を備え、前記収納蓋１３は、コイン等で外側から操作できるような防水用の締め付けネジ１３１で締めつけられることによって、所定の防水機能が得られるように構成されている。
前記手元照明装置は、照明手段としての前記本体１と保持手段としての前記帯状サポータ１５とで構成されている。
なお、前記照明制御部２は、電池Ｂ、蓄電池４、光源５、光源用配線５１、太陽光発電パネル６、電源スイッチ７、時計部８、充電出力部１１、およびリード線１４とそれぞれ接続されている。前記筐体１１の内部には、これらの部品を保持する保持板を備え、電気的な接続はプリント配線やリード線等が用いられている。
【００１１】
前記手元照明装置の全体の斜視図を示した図３と、その要部拡大図を示した図４において、
前記帯状サポータ１５の全体形状は、
中央部分１５１には幅広く形成されて前記本体１が固定されており、
先部分１５２には親指を挿通するための孔１６１が第１保持部として形成され、
尾部分１５３には手首に装着するための延長部１６２が第２保持部として形成されている。
前記延長部１６２の裏側には、前記中央部分１５１の端部に形成された被係合構造１６３と係合するための係合構造１６４が形成されている。なお、前記被係合構造１６３と前記係合構造１６４とからなる係合手段１６５は、例えば、一対の面ファスナで構成することができる。
【００１２】
前記孔１６１の近傍には操作スイッチ１７が配設され、この操作スイッチ１７は前記リード線１４を介して前記本体１の前記照明制御部２と接続されている。
【００１３】
次に、図５を参照して、本発明の手元照明装置を右手に装着する場合の手順を説明する。
まず、右手の親指Ｆ１を前記先部分１５２の孔１６１に挿し通す。（図５（Ａ）参照。）その後、前記中央部分１５１を右手の甲Ｈ１に沿わせて、前記尾部分１５３を右手の手首Ｈ２に回す。（図５（Ｂ）参照。）
【００１４】
そして、前記尾部分１５３の裏面に配設された係合構造１６４を、前記中央部分１５１の表面の端部に形成された被係合構造１６３に押しつけて互いに係合させる。これによって、前記帯状サポータ１５の先部分１５２は親指Ｆ１に引っ掛けられて保持され、前記尾部分１５３は前記手首Ｈ２に巻き付けられて保持されるので、前記帯状サポータ１５は、先部分１５１と尾部分１５３の両方から引っ張られた状態になり、手の甲Ｈ１に安定した状態で装着される。（図５（Ｃ）参照。）
従って、前記本体１を、前記帯状サポータ１５を介して右手の甲Ｈ１に安定した状態で装着することができるのである。
【００１５】
次に、図６を参照して、前記操作スイッチ１７の操作方法を説明する。
図５（Ａ）は、右手に手元照明装置を装着した状態を、手のひらＨ３から見た説明図である。図示されたように、親指Ｆ１には前記先部分１５２が被せられ、手首Ｈ２には前記尾部分１５３が巻き付けられている。
前記先部分１５２には前記操作スイッチ１７が設けられている。この操作スイッチ１７は親指Ｆ１の付け根において、手のひらＨ３側に位置するように設けられている。（図６（Ａ）参照。）
前記操作スイッチ１７を操作するときは、図６（Ｂ）に示したように、人指し指Ｆ２を矢印で示したように曲げて、その先で前記操作スイッチ１７を押すことによって、オンオフ操作する。
【００１６】
なお、前記操作スイッチ１７は中央部が窪んだ形状の押しボタン式もしくはタッチセンシング式のスイッチであり、前記窪んだ部分の底に操作部が配設されている。したがって、前記操作スイッチ１７の近傍に指や物が不用意に当たっても、前記窪んだ部分の底に配設された操作部が意図せずに操作されることは防止される。
【００１７】
以上のように構成された本発明の手元照明装置は、手の甲に装着されているので、邪魔にならず、両手が自由に使える。手先が素手の状態であるため、細かな作業も装着していない状態と同様に快適に行える。
また、保持手段で手の甲に装着しているので装着が簡単であり、特に、親指と手首を用いて保持するので確実に保持される。保持手段は、アクリル繊維、ナイロン繊維、ポリウレタン繊維、ポリエステル繊維等のように、通気性と、弾力性と、伸縮性と、防水性を備えた軟質素材を用いるとよい。伸縮性を持たせるためには、必要に応じてゴム系の繊維を折り込み、通気性を持たせるためには必要に応じてメッシュ生地などを用いる。
また、手の甲に装着された照明手段の照射方向は指先方向に設定されているので、暗い場所でも手元を明るく照射することができる。
したがって、闇夜の非常時、警察官などの夜間勤務、夜間の工事作業、夜間の犬の散歩、夜間のアウトドア活動、夜間のジョギング、未明の新聞配達等に便利である。
また、降雨時でも、両手が空くので、傘やカバン、ハンドバックを、非装着時と同様に手で持つことができる。
【００１８】
また、照明手段を、手の甲に保持手段を用いて保持することによって、手にフィットし、ずれることなく、違和感も少ない。
防水構造の筐体は、強化プラスチック製や、アクリル樹脂製などの合成樹脂製で、箱状に形成されて、衝撃にも強くすることができる。
操作スイッチは片手でしかも手の感触で簡単に素早く操作できるので、必要なときだけワンタッチで照射できる。無駄な照射をなくし、省エネで電池の消耗が少ない。また、操作スイッチは、明るさを変えることもでき、点滅させることもできるようにしてもよい。操作スイッチの誤動作を防止するために凹部に設けた。
【００１９】
本発明の本体の電源としては、交換可能な電池を用い、蓄電池に充電して使用することができる。また、予備電源として太陽光発電パネルを備え、前記蓄電池に充電することもできる。予備電源に切り換わると減光制御するとよい。
照明手段の光源としては、照射方向が手元を照射するように設定されており、手首を曲げることで照射方向を調整することが可能である。光源として、ＬＥＤを用いることによって、小型で、長寿命で、小電力で高輝度、省電力で電池も長持ちさせることができる。また、小型で高輝度のＬＥＤを複数並べることによって、十分な明るさを得ることができる。
【００２０】
また、暗闇でも時間確認を容易にするためにバックライト付きの時計部を備え、非常時及び通常時に携帯電話等に充電することができるように充電出力部を備えた。
以上の説明においては、右手の甲に装着する場合を例にとって説明したが、左手の甲に装着するように構成してもよく、さらには、両手に装着してもよい。
【符号の説明】
【００２１】
１  本体
２  照明制御部
３  電池収納部
４  蓄電池
５  光源
６  太陽光発電パネル
７  電源スイッチ
８  時計部
９  透明カバー部
１０  筐体
１１  充電出力部
１２  電池収納口
１３  収納蓋
１４  リード線
１５  帯状サポータ
１７  操作スイッチ
１５１  中央部分
１５２  先部分
１５３  尾部分
１６１  孔
１６２  延長部
Ａ  手元照明装置
Ｂ  電池
【図１】
0005318232.tif 000002
【図２】
0005318232.tif 000003
【図３】
0005318232.tif 000004
【図４】
0005318232.tif 000005
【図５】
0005318232.tif 000006
【図６】
0005318232.tif 000007